(57)【特許請求の範囲】
【請求項１】
見込間隔を大小異幅とした両側面の突条を相互に嵌合して該突条を介して幅方向に多数並列配置した中空格子材を，上記見込間隔小の突条の見込間隔に合せて形成した上端及び／又は下端の幅方向一連の溝条に埋込状に配置した連結レールに固定することによって一体的に形成した板状パネルであって，上記中空格子材の固定を，各中空格子材における見込間隔小の突条から連結レールへ螺入した見込方向のネジのネジ止めによって行う一方，該ネジのネジ頭を両側面の突条の相互の嵌合によって上記見込間隔大の突条で被覆してなることを特徴とする板状パネル。
【請求項２】
上記幅方向の両端に位置する一方の中空格子材を，その両側面双方の突条を上記見込間隔大とした端部専用の中空格子材とし，該端部専用の中空格子材の固定を，幅方向の両端に位置する中空格子材の両端側に配置したレール被覆部で連結レールの長手方向端部を被覆して該被覆部から連結レールのタッピングホールに螺入したネジのネジ止めによって行ってなることを特徴とする請求項１に記載の板状パネル。
【請求項３】
上記中空格子材と連結レールに加えて端部カバーを備え，幅方向の両端に位置する中空格子材の幅方向両端側に突出した突条を該端部カバーによって被覆してなることを特徴とする請求項１又は２に記載の板状パネル。
【請求項４】
上記幅方向一方又は双方の端部カバーを支柱に固定して支柱付設としてなることを特徴とする請求項１，２又は３に記載の板状パネル。
【請求項５】
上記連結レールが，該連結レールと一体成形し又は一体的に設置して該連結レールの上面を被覆する化粧用の笠木を備えてなることを特徴とする請求項１，２，３又は４に記載の板状パネル。
【請求項６】
上記連結レールを，その長手方向中間の複数位置から螺入したネジで上向きにネジ止めすることによって，屋外構築物の上枠に対して一体的に設置してなることを特徴とする請求項１，２，３，４又は５に記載の板状パネル。
【請求項７】
上記中空格子材の下部を，コンクリート土間に埋込み設置することによって該コンクリート土間に板塀として起立配置してなることを特徴とする請求項１，２，３，４，５又は６に記載の板状パネル。
【請求項８】
上記中空格子材の下端を，デッキ乃至コンクリート土間に設置した固定枠に固定することによって該デッキ乃至コンクリート土間に板塀として起立配置してなることを特徴とする請求項１，２，３，４，５又は６に記載の板状パネル。
【発明の詳細な説明】
【技術分野】
【０００１】
本発明は，例えば玄関，庭等における仕切材乃至目隠し材等として好適に使用し得る板状パネルに関する。
【背景技術】
【０００２】
中空格子材を用いた板状パネルは，一般に多数の中空格子材を幅方向に並列配置し，その上端及び下端に断面Ｃ字状の上枠及び下枠を被嵌配置して，該上枠及び下枠から見込方向のネジを中空格子材に螺入してこれらを一体化し，または中空格子材の内面にタッピングホールを配置し，同じく被嵌配置した断面Ｃ字状の上枠及び下枠からタッピングにネジを螺入することによって一体化したものとされ，例えば門扉，フェンス，ドア等の各種建材の面材として用いられている。
【０００３】
【特許文献１】実開昭５５−１６３５９号公報
【発明の開示】
【発明が解決しようとする課題】
【０００４】
しかし乍ら，前者の板状パネルは，正面乃至背面に中空格子材の数に応じたネジが露出することになり，また後者は上枠乃至下枠の表面に同じく中空格子材の数に応じたネジが露出することになり，いずれも板状パネルの外観を損なうものとなり易い。即ち，例えば門扉やドアのように更に四周を框で被覆するものは，これらネジの露出を防止できるが，例えば建物に設置したデッキの端部を部分的に仕切ったり，玄関と庭とを仕切ったりする板塀の如くに，デザインを重視する板状パネルとして用いると，後者のものとしても，１．５ｍ程度に高さを低く設定したものにあっては，上枠の上面のネジ露出を避けられず，デザインを損なうものとなり易い。
【０００５】
本発明はかかる事情に鑑みてなされたもので，その解決課題とするところは，中空格子材をネジを用いて幅方向に並列配置するも，ネジの露出を解消することによって外観に優れて各種用途に用いることが可能な板状パネルを提供するにある。
【課題を解決するための手段】
【０００６】
上記課題に沿って本発明は，幅方向に並列配置した中空格子材の上端及び／又は下端に連結レールを埋込配置し，該連結レールに対して中空格子材の側面に配置した見込間隔小の突条からのネジを螺入することによって連結レールに中空格子材を固定するとともに隣接する中空格子材間において，各中空格子材の他の側面に配置した見込間隔大の突条によって上記見込間隔小の突条を被嵌して，中空格子材を連結レールに固定したネジ頭を被覆するようにして，連結レールを介して並列配置の中空格子材を一体化したものであって，即ち，請求項１に記載の発明を，見込間隔を大小異幅とした両側面の突条を相互に嵌合して該突条を介して幅方向に多数並列配置した中空格子材を，上記見込間隔小の突条の見込間隔に合せて形成した上端及び／又は下端の幅方向一連の溝条に埋込状に配置した連結レールに固定することによって一体的に形成した板状パネルであって，上記中空格子材の固定を，各中空格子材における見込間隔小の突条から連結レールへ螺入した見込方向のネジのネジ止めによって行う一方，該ネジのネジ頭を両側面の突条の相互の嵌合によって上記見込間隔大の突条で被覆してなることを特徴とする板状パネルとしたものである。
【０００７】
請求項２に記載の発明は，上記に加えて，幅方向の両端に位置する一方の中空格子材を，その両側面に見込間隔大の突条を配置した，他の中空格子材と断面形状を異にする端部専用のものとすし，見込間隔小の突条のないことによって連結レールに固定しない該端部専用の中空格子材の固定を，該端部専用の中空格子材と上記連結レールに見込間隔小の突条を固定した幅方向一端の中空格子材によって該連結レールの長手方向両端を被覆し且つ各中空格子材から連結レールのタッピングホールにネジを螺入することによって行うように，これを，上記幅方向の両端に位置する一方の中空格子材を，その両側面双方の突条を上記見込間隔大とした端部専用の中空格子材とし，該端部専用の中空格子材の固定を，幅方向の両端に位置する中空格子材の両端側に配置したレール被覆部で連結レールの長手方向端部を被覆して該被覆部から連結レールのタッピングホールに螺入したネジのネジ止めによって行ってなることを特徴とする請求項１に記載の板状パネルとしたものである。
【０００８】
請求項３に記載の発明は，同じく上記に加えて，幅方向両端に位置する中空格子材の端部に端部カバーを配置して，中空格子材の突条を被覆して，外観の良い端部措置を施したものとするように，これを，上記中空格子材と連結レールに加えて端部カバーを備え，幅方向の両端に位置する中空格子材の幅方向両端側に突出した突条を該端部カバーによって被覆してなることを特徴とする請求項１又は２に記載の板状パネルとしたものである。
【０００９】
請求項４に記載の発明は，同じく上記に加えて，板状パネルを支柱に固定した支柱付設のものとするように，これを，上記幅方向一方又は双方の端部カバーを支柱に固定して支柱付設としてなることを特徴とする請求項１，２又は３に記載の板状パネルとしたものである。
【００１０】
請求項５に記載の発明は，同じく上記に加えて，上記連結レールを，一体又は一体的に設置した化粧用の笠木によって被覆することによって該連結レールの露出を防止したものとするように，これを，上記連結レールが，該連結レールと一体成形し又は一体的に設置して該連結レールの上面を被覆する化粧用の笠木を備えてなることを特徴とする請求項１，２，３又は４に記載の板状パネルとしたものである。
【００１１】
請求項６に記載の発明は，同じく上記に加えて，上記連結レールを屋外構築物の上枠にネジ止めすることによって屋外構築物に一体的に配置したものとするように，これを，上記連結レールを，その長手方向中間の複数位置から螺入したネジで上向きにネジ止めすることによって，屋外構築物の上枠に対して一体的に設置してなることを特徴とする請求項１，２，３，４又は５に記載の板状パネルとしたものである。
【００１２】
請求項７に記載の発明は，同じく上記に加えて，板状パネルの下部をコンクリート土間に埋込設置して起立した板塀とするように，これを，上記中空格子材の下部を，コンクリート土間に埋込み設置することによって該コンクリート土間に板塀として起立配置してなることを特徴とする請求項１，２，３，４，５又は６に記載の板状パネルとしたものである。
【００１３】
請求項８に記載の発明は，同じく上記に加えて，板状パネルの下端をデッキ乃至コンクリート土間の固定枠に固定して起立した板塀とするように，これを，上記中空格子材の下端を，デッキ乃至コンクリート土間に設置した固定枠に固定することによって該デッキ乃至コンクリート土間に板塀として起立配置してなることを特徴とする請求項１，２，３，４，５又は６に記載の板状パネルとしたものである。
【００１４】
本発明はこれらをそれぞれ発明の要旨として上記課題解決の手段としたものである。
【発明の効果】
【００１５】
本発明は以上のとおりに構成したから，請求項１に記載の発明は，幅方向に並列配置した中空格子材の上端及び／又は下端に連結レールを埋込配置し，該連結レールに対して中空格子材の側面に配置した見込間隔小の突条からのネジを螺入することによって連結レールに中空格子材を固定するとともに隣接する中空格子材間において，各中空格子材の他の側面に配置した見込間隔大の突条によって上記見込間隔小の突条を被嵌して，中空格子材を連結レールに固定したネジ頭を被覆するようにして，連結レールを介して並列配置の中空格子材を一体化して，中空格子材をネジを用いて幅方向に並列配置するも，ネジの露出を解消することによって外観に優れて各種用途に用いることが可能な板状パネルを提供することができる。
【００１６】
請求項２に記載の発明は，上記に加えて，幅方向の両端に位置する一方の中空格子材を，その両側面に見込間隔大の突条を配置した，他の中空格子材と断面形状を異にする端部専用のものとすし，見込間隔小の突条のないことによって連結レールに固定しない該端部専用の中空格子材の固定を，該端部専用の中空格子材と上記連結レールに見込間隔小の突条を固定した幅方向一端の中空格子材によって該連結レールの長手方向両端を被覆し且つ各中空格子材から連結レールのタッピングホールにネジを螺入することによって行ったものとすることができる。
【００１７】
請求項３に記載の発明は，同じく上記に加えて，幅方向両端に位置する中空格子材の端部に端部カバーを配置して，中空格子材の突条を被覆して，外観の良い端部措置を施したものとすることができる。
【００１８】
請求項４に記載の発明は，同じく上記に加えて，板状パネルを支柱に固定した支柱付設のものとすることができる。
【００１９】
請求項５に記載の発明は，同じく上記に加えて，上記連結レールを，一体又は一体的に設置した化粧用の笠木によって被覆することによって該連結レールの露出を防止したものとすることができる。
【００２０】
請求項６に記載の発明は，同じく上記に加えて，上記連結レールを屋外構築物の上枠にネジ止めすることによって屋外構築物に一体的に配置したものとすることができる。
【００２１】
請求項７に記載の発明は，同じく上記に加えて，板状パネルの下部をコンクリート土間に埋込設置して起立した板塀とすることができる。
【００２２】
請求項８に記載の発明は，同じく上記に加えて，板状パネルの下端をデッキ乃至コンクリート土間の固定枠に固定して起立した板塀とすることができる。
【発明を実施するための最良の形態】
【００２３】
以下図面の例に従って本発明を更に具体的に説明すれば，図１乃至図８においてＡは，下部を，コンクリート土間８に埋込み設置することによって該コンクリート土間８に板塀として起立配置した板状パネルであり，該板状パネルＡは，見込間隔を大小異幅とした両側面の突条１２，１６を相互に嵌合して該突条１２，１６を介して幅方向に多数並列配置した中空格子材１を，上記見込間隔小の突条１６の見込間隔に合せて形成した上端及び／又は下端の幅方向一連の溝条に埋込状に配置した連結レール２に固定することによって一体的に形成してあり，上記中空格子材１の固定を，各中空格子材１における見込間隔小の突条１６から連結レール２へ螺入した見込方向のネジ４のネジ止めによって行う一方，該ネジ４のネジ頭を両側面の突条１２，１６を相互に嵌合することによって上記見込間隔大の突条１２で被覆したものとしてある。このとき上記幅方向の両端に位置する一方の中空格子材を，その両側面双方の突条１２を上記見込間隔大とした端部専用の中空格子材１ａとし，該端部専用の中空格子材１ａの固定を，幅方向の両端に位置する中空格子材１の両端側に配置したレール被覆部で連結レール２の長手方向端部を被覆して該被覆部から連結レール２のタッピングホール２２に螺入したネジ４のネジ止めによって行ったものとし，また上記中空格子材１と連結レール２に加えて端部カバー３を備え，幅方向の両端に位置する中空格子材１の幅方向両端側に突出した突条１２又は１６を該端部カバー３によって被覆したものとしてある。
【００２４】
板状パネルＡは，本例にあって中空格子材１，連結レール２，端部専用の中空格子材１ａ，端部カバー３をそれぞれアルミ押出材とすることによってアルミ製のものとしてあり，中空格子材１は，矩形断面の中空基部１１と，該中空基部１１の両側面にそれぞれ一対の突条１２，１６を備えたものとしてあり，このとき該突条１２，１６は，両側面の一方において該一対間の見込間隔を大とし，また他方において一対間の見込間隔を小とし，これによって見込間隔大の一対の突条１２によって，見込間隔小の一対の突条１６を余裕を持ってカバーするように被覆するものとしてあり，該被覆状態で相互に嵌合するようにして，該中空格子材１を板状パネルＡを形成する標準の部材としてある。これに対して上記端部専用の中空格子材１ａは，中空基部１１の両側面に配置した各一対の突条１２間の見込間隔を，上記見込間隔大の見込間隔と同間隔とする以外，板状パネルＡを構成する上記中空格子材１と同一の構成としてある。
【００２５】
本例にあって該中空格子材１の突条１２，１６は，その見込間隔大の突条１２において，中空基部１１の前後面を側方に延設する如くに平行に突出し，それぞれ先端に鉤状突片１３を備えるとともに該突条１２間の底面をなす中空基部１１の側面に突条１２突出方向に向けた一対の係合突片１４を備えたものとし，また見込間隔小の突条１６において，中空基部１１の側方に突設した中空基部１１と段差をなす幅狭の基部突出部１５に，更に該基部突出部１５と段差をなすように平行に突出したものとしてあり，このとき上記見込間隔大の突条１２の鉤状突片１３の間隔を上記基部突出部１５の前後幅と略同等とし，また上記一対の係合突片１４の間隔を上記見込間隔小の突条１６の前後幅と略同等としてある。これによって中空格子材１を並列配置したとき，一方の中空格子材１の上記見込間隔大の突条１２間に他方の中空格子材１の基部突出部１５が入り込むとともに見込間隔大の突条１２の鉤状突片１３が該基部突出部１５に対接する一方，上記基部突出部１５と段差をなす見込間隔小の突条１６が係合突片１４間に位置するように係合するものとしてある。
【００２６】
このとき板状パネルＡの幅方向端部に位置する中空格子材１を除いて，上記標準使用の中空格子材１は，その中空基部１１の両側面を上記見込間隔小の突条１６間の間隔，即ち内法寸法に合せて切欠いてあり，また上記幅方向端部に位置する中空格子材１，即ち端部一方の標準使用の中空格子材１と端部他方の端部専用の中空格子材１ａは，その幅方向両端側の側面をそのまま残存して上記連結レール２にネジ止めするレール被覆部とする一方，上記並列配置によって他の中空格子材１に隣接する隣接側の側面は，これを他の中空格子材１と同様に切欠いてあり，これによってこれら中空格子材１の並列配置によって上端に上記見込間隔小の突条１６間隔に合せ且つ長手方向両端を上記レール被覆部で閉塞した板状パネルＡの幅方向に一連の溝条を形成するものとしてある。
【００２７】
連結レール２は，断面矩形乃至Ｕ字状，本例にあっては断面Ｕ字状のレール基部２１と，該レール基部２１の下端にタッピングホール２２を備えたものとしてあり，このとき該連結レール２は，その見込幅を上記中空格子材１における見込間隔小の突条１６の間隔と略等しい幅としてあり，これによって該連結レール２は，上記見込間隔小の突条１６間に嵌合するものとしてある。また本例の該連結レール２は，これと一体成形し又は一体的に設置，本例にあっては一体的に設置して該連結レール２の上面を被覆する化粧用の笠木２３を備えたものとしてあり，該化粧用の笠木２３は，上記中空格子材１の見込幅より幅広とした断面Ｃ字状にして，その前後折曲片の先端を対向方向に折曲した折返し片を備えて，後述の端部キャップ２４による一体的な設置をなし得るようにしてある。
【００２８】
端部カバー３は，上記中空格子材１の鉤状突片１３の間隔と略等しい見込幅の平板状の基板３１と，該基板３１の前後両端から対向方向に傾斜配置した一対の脚片３２を一体成形した断面Ｕ字状をなすとともに一対の脚片３２に上記鉤状突片１３に係止する係止部３３を配置し且つ上記一対の脚片３２の先端を，該係止部３３が鉤状突片１３に係止した状態で，上記中空格子材１の係合突片１４に対接するようにしてある。
【００２９】
これら中空格子材１，即ち標準使用の中空格子材１と端部専用の中空格子材１ａ，連結レール２，更に端部カバー３による板状パネルＡは，上記中空格子材１を，その両側面の突条１２，１６を相互に嵌合するように並列配置することによって形成された上記上端の一連の溝条に連結レール２を上方から落し込み状に嵌合して埋込配置する一方，端部専用の中空格子材１を除いて，各中空格子材１の上記見込間隔小の突条１６を，その前後双方又は一方からネジ４を連結レール２に螺入して該連結レール２にネジ止めすることによって，各中空格子材１を連結レール２に対して固定してあり，このとき該見込間隔小の突条１６は，中空格子材１の並列配置によって見込間隔大の突条１２に被嵌される結果，該固定に用いたネジ４のネジ頭は，該見込間隔大の突条１２によって被覆され，その露出が防止されたものとなる。これに上記端部専用の中空格子材１ａを，その見込間隔大の突条１２に，幅方向端部側に位置する中空格子材１における見込間隔小の突条１６を受入れ被嵌するように配置し，連結レール２の長手方向両端に対接乃至対面した側面の上記レール被覆部からそのタッピングホール２２にネジ４を螺入し，端部一方の標準使用の中空格子材１と端部他方の端部専用の中空格子材１ａ間に連結レール２を挟持するようにして，該端部専用の中空格子材１ａを，該連結レール２に対して固定したものとしてある。また端部カバー３は，該端部一方の標準使用の中空格子材１と端部他方の端部専用の中空格子材１ａの見込間隔大の突条１２間にそれぞれ上記一対の脚片３２を挿入するとともにその先端を係合突片１４に対接し，該対接状態で，その係止部３３を鉤状突片１３に対して弾発的にスナップイン係止することによって，その固定を行ったものとしてあり，化粧用の笠木２３は，連結レール２上に載置し，その長手方向両端部に端部キャップ２４を装着し，該端部キャップ２４の下向きの嵌合突部を，上記端部カバー３の固定によって形成された，該端部カバー３と上記端部一方の標準使用の中空格子材１乃至端部他方の端部専用の中空格子材１ａとの空隙に，その上端から嵌合することによって，その固定を行ったものとしてある。
【００３０】
これによって本例の板状パネルＡは，連結レール２を上端のみに配置して各中空格子材１を固定するも，端部専用の中空格子材１ａを含めて隣接する中空格子材１における側面の突条１２，１６同士の嵌合により，それ自体相当程度に高度な保形性を有するものとなり，その高さを２ｍ以下，例えば１．５ｍ程度とし，その下部をコンクリート土間８に埋設固定して敷地内に起立配置することにより，その一体性，強度，耐久性を高度に確保した敷地内区画のアルミ製の板塀として使用するものとしてある。高さを上記１．５ｍ程度とすることによって，人がその上面を視認することになるが，連結レール２の笠木２３がその上端を覆って該上面にもネジ４の露出がなく，中空格子材１を連結レール２に固定したネジ４も，見込幅大の突条１２が被覆して正面乃至背面に露出することもない。更に端部カバー３が幅方向両端を被覆するため端部一方の標準使用の中空格子材１と端部他方の端部専用の中空格子材１ａを固定したネジ４の露出もなく，従ってネジ止めによって形成したパネルでありながら，全くネジ４の露出を解消したものとすることができ，従って独立設置の板塀の如くにデザインを重視する板状パネルＡとして使用するに好適なものとすることができる。
【００３１】
図９及び図１０は，上記幅方向一方又は双方，本例にあっては幅方向一方の端部カバー３を支柱５に固定することによって支柱付設とした板状パネルＡの例を示す。即ち板状パネルＡは，上記構成のものを用いて，その幅方向一方の標準使用の中空格子材１の端部カバー３を，その固定前に支柱５の側面に対接して，その一対の脚条３２間からのネジ４で基板３１をネジ止めすることによって，支柱５に対してその長手方向複数個所で固定してあり，該端部カバー３に板状パネルＡを固定するようにして，支柱５に固定するネジ４の露出を防止した支柱付設の板状パネルＡとして構成してある。このとき上記端部一方の標準使用の中空格子材１におけるレール被覆部を形成することなく，連結レール２を一連に配置した点を除いて，その余は上記例と変らないので，同一符号を付して重複する説明を省略する。
【００３２】
図１１乃至図１４は，同じく同様に端部カバー３のネジ止めによって板状パネルＡを支柱付設のものとするとともに該板状パネルＡを，上記連結レール２を，その長手方向中間の複数位置から螺入したネジ４で上向きにネジ止めすることによって，屋外構築物の上枠６に対して一体的に設置したものとし，更に上記中空格子材１の下端を，デッキ９乃至コンクリート土間８，本例にあってはデッキ９に設置した固定枠７に固定することによって該デッキ９に板塀として起立配置した例を示す。
【００３３】
本例にあって，板状パネルＡは，その上端を，例えばテラス，門型フレーム等の各種屋外構築物，本例にあってはデッキ設置のテラスにおける支柱５と上枠６に固定してあり，該固定は，支柱５において上記と同様とする一方，上枠６に対しては連結レール２をネジ止めすることによってこれを行ってあり，このとき該連結レール２は，上枠６又はその内部に嵌挿した補強材６１に対して，タッピングホール２２側の下端から上向きのネジ４を螺入し，長手方向複数個所で上枠６に対してその固定を行ったものとしてある。本例にあって上枠６は，その下面を塞ぐ閉塞プレート６２を装着するものとしてあり，これによって上向きのネジ４は，該閉塞プレート６２を貫通して上枠６又は補強材６１に螺入することになるところ，本例にあっては，上記ネジ４のガイドパイプ兼用のスペーサー６３を用いて，該スペーサー６３に該上向きネジ４を案内してその螺入を行ったものとしてある。本例のスペーサー６３は，その下端を連結レール２のタッピングホール２２に載置するように該連結レール２に起立配置して，上記閉塞プレート６２に透設した透孔を介して上枠６又は補強材６１の下面に至る長さを有するものとしてあり，これによって上向きネジ４の螺入に際して，その螺入範囲を画するようにして，該ネジ４の螺入をスムーズ且つ容易になし得るものとするとともに該ネジ４の螺入量が大きくなり，その締付力によって連結レール２が対接する上記閉塞プレート６２の変形等のトラブルを回避し得るようにしてある。
【００３４】
一方，上記中空格子材１の下端を固定する固定枠７は，例えばＬ字枠７１と，該Ｌ字枠７１をカバーするカバー枠７２とによって形成し，該固定枠７を板状パネルＡの前後下端に配置してその下端のデッキ９への固定を行うようにしてある。このとき固定枠７は，そのＬ字枠７１の下片をデッキ９のデッキ材にネジ止め乃至アンカー止め，本例にあってはアンカー７３止めする一方，その起立片を板状パネルＡの長手方向複数個所で中空格子材１に対してネジ４によってネジ止めしてその固定を行ってある。該Ｌ字枠７１に対するカバー枠７２の装着は，Ｌ字枠７１の起立片に配置した上下中間の係止条に，カバー枠７２の内側に突出配置した係止条を相互にスナップイン係止することによってこれを行ったものとしてある。板状パネルＡ及びその支柱５への固定を含めて，その余は上記例のものと変らないので，同様に同一符号を付して重複する説明を省略する。
【００３５】
本例の板状パネルＡは，デッキ９のデッキ面と上枠６間の，例えば２ｍ程度乃至それ以上といったように高い空間に起立配置することができ，上記独立設置の形態のものとは異なる屋外構築物と調和したデザインの板塀を形成することができるとともに同様に支柱５，上枠６との間を含めて，板状パネルＡのネジ４の露出を防止したものとできる。また前後の固定枠７によって下端を挟持するようにデッキ９に固定したから，同じく板状パネルＡの下端を連結レール２を用いて固定することなく，同様に一体性，強度，耐久性を高度に確保したものとすることができる。
【００３６】
図示した例は以上のとおりとしたが，下端に連結レールを配置し，同様に該連結レールに中空格子材をネジ止めして，上端及び下端乃至上端に代えた下端の固定を行ったものとすること，上記連結レールに，一体成形し又は上記屋外構築物におけると同様な構造により一体的に設置した上枠を備えたものとすること等を含めて，本発明の実施に当って，板状パネル，中空格子材，その突条，連結レール，必要に応じて用いる端部専用の中空格子材，端部カバー，支柱，笠木，屋外構築物乃至その上枠，コンクリート土間，デッキ，固定枠等の各具体的形状，構造，材質，これらの関係，数，寸法，これらに対する付加等は，上記発明の要旨に反しない限り様々な形態のものとすることができる。
【図面の簡単な説明】
【００３７】
【図１】中空格子材の横断面図である。
【図２】端部専用の中空格子材の横断面図である。
【図３】連結レールの縦断面図である。
【図４】端部カバーの横断面図である。
【図５】板状パネルの設置状態を示す正面図である。
【図６】図５の板状パネルの横断面図である。
【図７】図５の板状パネルの縦断面図である。
【図８】図７の部分拡大図である。
【図９】支柱付設の板状パネルの部分正面図である。
【図１０】図９の支柱と板状パネルの関係を示す横断面図である。
【図１１】テラスのデッキに設置した板状パネルの正面図である。
【図１２】図１１の板状パネルの横断面図である。
【図１３】図１１の板状パネルの縦断面図である。
【図１４】図１３の部分拡大図である。
【符号の説明】
【００３８】
Ａ  板状パネル
１  中空格子材
１ａ  端部専用の中空格子材
１１  中空基部
１２  見込幅大の突条
１３  鉤状突片
１４  係合突片
１５  基部突出部
１６  見込幅小の突条
２  連結レール
２１  レール基部
２２  タッピングホール
２３  笠木
２４  端部キャップ
３  端部カバー
３１  基板
３２  脚片
３３  係止部
４  ネジ
５  支柱
６  上枠
６１  補強材
６２  閉塞プレート
６３  スペーサー
７  固定枠
７１  Ｌ字枠
７２  カバー枠
７３  アンカー
８  コンクリート土間
９  デッキ
【図１】
0005094470.tif 000002
【図２】
0005094470.tif 000003
【図３】
0005094470.tif 000004
【図４】
0005094470.tif 000005
【図５】
0005094470.tif 000006
【図６】
0005094470.tif 000007
【図７】
0005094470.tif 000008
【図８】
0005094470.tif 000009
【図９】
0005094470.tif 000010
【図１０】
0005094470.tif 000011
【図１１】
0005094470.tif 000012
【図１２】
0005094470.tif 000013
【図１３】
0005094470.tif 000014
【図１４】
0005094470.tif 000015